(57)【特許請求の範囲】
【請求項１】
パネル式の表示部と、
前記表示部に積層配置され、接触検知により入力を受け付けるタッチパネル式の入力部と、
前記入力部で検知される接触の軌跡に従い形成される手書き枠の内側の範囲を、ユーザが指定した撮像範囲として、前記入力部上に配置される物体の、前記入力部との対向面を撮像する撮像部と、
前記撮像部により撮像された画像データを記憶部に記憶させ、前記手書き枠の内側で接触検知されて前記手書き枠の外側に検知位置が移動するユーザ操作を前記入力部が検出すると、前記記憶部に記憶された画像データを前記表示部に表示させる制御部と、
を有する情報処理装置。
【請求項２】
請求項１に記載の情報処理装置において、
前記表示部は、さらに、前記画像データの鏡像反転画像を表示し、その後正規の前記画像データを表示する
情報処理装置。
【請求項３】
請求項１または２に記載の情報処理装置において、
前記表示部は、さらに、前記画像データを回転させた画像を表示し、その後正規の前記画像データを表示する
情報処理装置。
【請求項４】
請求項１乃至３のいずれか１項に記載の情報処理装置であり、
前記情報処理装置は、卓上型の情報処理装置であり、前記表示部は、卓上天板面に表示面が位置する
情報処理装置。
【請求項５】
パネル式の表示部と、前記表示部に積層配置され、接触検知により入力を受け付けるタッチパネル式の入力部と、前記入力部上に配置される物体の、前記入力部との対向面を撮像する撮像部とを有するコンピュータに実行させるためのプログラムであり、
前記入力部で検知される接触の軌跡に従い形成される手書き枠の内側の範囲を、ユーザが指定した撮像範囲として前記撮像部に撮像させ、
前記撮像部により撮像された画像データを記憶部に記憶させ、前記手書き枠の内側で接触検知されて前記手書き枠の外側に検知位置が移動するユーザ操作を前記入力部が検出すると、前記記憶部に記憶された画像データを前記表示部に表示させる
処理をコンピュータに実行させるためのプログラム。
【発明の詳細な説明】
【技術分野】
【０００１】
この明細書に記載の実施形態は、シート上に形成されている像をスキャンするときの操作に関する。
【背景技術】
【０００２】
シートを電子データ化するためのスキャン操作は、ＭＦＰ（Multifunction Peripheral）のガラスの天板上にシートを乗せ、プラテンカバーで押え込み、読み取らせる方法が一般的である。またＡＤＦ（Auto document feeder）で複数の現行シートをガラスの天板上に搬送し、コントロールパネルで読み取り設定、および保存先を指定し、読み取らせる方法もある。
【発明の概要】
【発明が解決しようとする課題】
【０００３】
従来のスキャン時の操作や動作は、上記のように手間がかかる。
【０００４】
実施形態は上述した問題点を解決するためになされたものであり、より自然な動作でスキャン操作を実行することができるユーザインターフェイスを提供することを目的とする。
【課題を解決するための手段】
【０００５】
実施形態の情報処理装置は、パネル式の表示部と、タッチパネル式の入力部と、撮像部と、制御部とを有する。入力部は、表示部に積層配置され、接触検知により入力を受け付ける。撮像部は、入力部上に配置される物体のその配置面を、入力部上でユーザが指定した範囲を撮像範囲として撮像する。制御部は、撮像部により撮像された画像データを記憶部に記憶させる。
【図面の簡単な説明】
【０００６】
【図１】実施形態の卓上型情報処理装置の外観を示す図である。
【図２】実施形態の卓上型情報処理装置のハードウェア構成例を示す図である。
【図３】実施形態の卓上型情報処理装置を上側から視認したときの図、およびタッチパネルディスプレイの表示例を示す図である。
【図４】スキャン操作を行うときの動作例を示す図である。
【図５】スキャン操作の手順を説明する図である。
【図６】スキャンデータを表示するときのアニメーション例を示す図である。
【図７】実施形態の卓上型情報処理装置の動作例を示すフローチャートである。
【図８】透過液晶パネルを用いた場合の態様を説明する図である。
【発明を実施するための形態】
【０００７】
本実施形態では、卓上型の情報処理装置（コンピュータ）について説明する。本実施形態の卓上型情報処理装置は、平らな天板面に、タッチパネルディスプレイを有している。
【０００８】
タッチパネルディスプレイは、シートをスキャンして読み取る機能も有しており、タッチパネルディスプレイ上に配置される原稿シートを読み取ることができる。この際、ユーザは、原稿シートをタッチパネルディスプレイに配置させ、当該シートを囲むように枠を作成して所定のジェスチャー操作を行う。本実施形態では、枠内に指先を接触させ、スライドさせるジェスチャー操作とする。これにより、枠内がスキャンされて電子化されたスキャン画像が生成され、タッチパネルディスプレイ上に表示される。
【０００９】
以下、本実施形態の態様について、図面を参照しつつ説明する。図１は、実施形態の卓上型情報処理装置１００の外観を示した図である。図１に示すように、卓上型情報処理装置１００はテーブル型（卓上型）の情報処理装置であり、その天板面上に、操作表示用の大型のタッチパネルディスプレイ５０が配置されている。
【００１０】
タッチパネルディスプレイ５０は、タッチパネル用のシートが積層配置されている。またディスプレイ全面に受光機能があり、表面に置かれた物体、特に表面に文字、絵が印刷されたシートを接触対向させることで、シート上からの反射光を受光してデータ化するスキャナ機能を有する。
【００１１】
卓上型情報処理装置１００の下部には、例えば電子写真式の印刷エンジン（後述のプリンタユニット８０）が配置されている。卓上型情報処理装置１００の一側面には、この印刷エンジンで印刷されたシートの排出口がある。
【００１２】
タッチパネルディスプレイ５０は、装置内の制御部によってコントロールされ、印刷エンジンに対する印刷設定を入力する装置としても機能する。またコンピュータの表示装置としての機能も有している。タッチパネルディスプレイ５０は、マルチタッチ機能を有しており、複数の異なる位置での指の動きを検知可能である。
【００１３】
卓上型情報処理装置１００は、例えば非接触ＩＣカード等による認証により、複数人のユーザの同時ログインを許容する。複数ユーザが使用する際には、ユーザごとに使用可能な領域が区分けされ、ユーザはその領域ごとに使用する。卓上型情報処理装置１００を用いて複数人でディスカッションやプレゼンテーション、商談などを行うこともできる。
【００１４】
図２は、卓上型情報処理装置１００内部のハードウェア構成例を示すブロック図である。卓上型情報処理装置１００は、図２に示すように、プロセッサ１０、ＤＲＡＭ（Dynamic Random Access Memory）２０、ＲＯＭ（Read Only Memory）３０、ＨＤＤ（Hard Disk Drive）４０、タッチパネルディスプレイ５０、ネットワークＩ／Ｆ（Interface）６０、センサユニット７０、プリンタユニット８０を有する。これらは通信バス９０により互いに制御信号、データの送受信を行う。
【００１５】
プロセッサ１０は、例えばＣＰＵ（Central Processing Unit）などの演算処理装置であり、ＲＯＭ３０やＨＤＤ４０などに格納されているプログラムをＤＲＡＭ２０にロードし、演算実行することで、プログラムに従い様々な処理を行う。ＤＲＡＭ２０は、揮発性の主記憶装置である。ＲＯＭ３０は、永続的に記憶する不揮発性の記憶装置であり、システム起動時のＢＩＯＳ（Basic Input Output System）などが記憶されている。ＨＤＤ４０は、永続的に記憶可能な不揮発性の補助記憶装置であり、ユーザが使用するデータやプログラムはＨＤＤ４０に記憶される。
【００１６】
タッチパネルディスプレイ５０は、静電容量方式のタッチパネルの入力部（タッチパネル式の入力部）、およびフラット型パネルの表示部（パネル式の表示部）により構成されている。タッチパネルは、複数の同時接触を検知するマルチタッチに対応しており、接触位置に応じた座標値（Ｘ値、Ｙ値）を得ることができる。またフラット型パネルは、表示用の発光素子ととともに読み取り用の撮像素子がパネル全面に備えられており、物体読み取り機能（スキャナ機能）も有する。読み取りの際には、発光素子がシート面を照射し、この反射光を撮像素子が撮像（受光）する。
【００１７】
ネットワークＩ／Ｆ６０は、外部機器と通信を担うユニットであり、ＬＡＮ（Local Area Network）ボード、近距離無線通信を制御するユニットや機構、公衆回線網と接続されるＦＡＸボードなどを含む。センサユニット７０は、ユーザが所持するＩＤ（identification）カードを検知し、ＩＤカード内に記述されている情報を読み取るユニットである。読み取られた情報は、卓上型情報処理装置１００のログイン認証などに用いられる。このＩＤカードは、非接触型のＩＣカードであり、ユーザの識別情報が少なくとも記憶されている。
【００１８】
プリンタユニット８０は、画像データを印刷するユニットである。プリンタユニット８０は、トナーを収容するトナーカートリッジ、シートを収容するカセット、プロセスユニット（感光体ドラム、帯電部、露光部、中間転写ベルトなど）、加熱定着器、排出トレイを有し、カセットに収容されているシートを、プロセスユニット、加熱定着器、排出トレイの順に搬送する搬送部を有する。
【００１９】
図３（Ａ）は、卓上型情報処理装置１００を上側から視認したときの平面図であり、図３（Ｂ）は、タッチパネルディスプレイ５０の表示例を示す図である。卓上型情報処理装置１００は、複数ユーザの同時ログインを可能としており、複数ユーザのデスクトップ画面を同時に表示させることができる。センサユニット７０は、本例では天板付近の四方側面の中央部にそれぞれ配置されており（計４つ）、ＩＤカード２００Ａ〜２００Ｄを携帯したユーザがセンサユニット７０に近接することで、センサユニット７０がＩＤカード内の情報を読み取り、ログイン認証が行われる。ＩＤカード内の情報が事前にＨＤＤ４０もしくは外部の認証機構に登録されているものである場合、認証適合となり、そのユーザの居る向きに各個人のデスクトップ画面が表示される（図３（Ｂ）参照）。ユーザの居る向きは、いずれのセンサユニット７０からＩＤカード情報が取得されたかにより決定される。
【００２０】
またタッチパネルディスプレイ５０は、各個人が使用できる範囲を示す境界も表示する。図３（Ｂ）の例では破線ラインとしたが、これに類するものであり、使用範囲がユーザに分かるものであればどのような態様でもよい。また図３（Ｂ）の例は、４人のユーザが同時に使用している例であり、各ユーザの作業領域は、領域Ｒ１〜Ｒ４となっている。ＩＤカード２００Ａを所持しているユーザは領域Ｒ１を作業領域として使用し、以下同様にＩＤカード２００Ｂ所持のユーザは領域Ｒ２を、ＩＤカード２００Ｃ所持のユーザは領域Ｒ３を、ＩＤカード２００Ｄ所持のユーザは領域Ｒ４を、それぞれ作業領域として使用する。
【００２１】
タッチパネルディスプレイ５０は、図３（Ｂ）に示すようにユーザの居る位置に応じて、ユーザにとって正規の向きとなるようにデスクトップ画面を表示する。すなわち、ユーザの居る方が画面下方となり、向かい側が画面上方となる向きでデスクトップ画面を表示する。またログイン時のデスクトップ画面は、ユーザが前回ログアウトしたときの状態で表示されてもよく、事前にユーザごとに定義されたデフォルト状態で表示されてもよい。
【００２２】
次に、スキャン機能の具体的な方法について図４、図５を参照しつつ説明する。図４は、１ユーザがタッチパネルディスプレイ５０を占有し、他のユーザのデスクトップはアイコン状態となった場合の表示例である。また図５は、スキャンを行う際のユーザの操作例を説明する図である。ユーザは、スキャン動作前に所定のジェスチャーでスキャン設定画面を呼び出す。これは、ディスプレイ画面に現れるボタンの押下であってもよい。ユーザは、呼び出されたスキャン設定画面を用いてカラー設定、解像度設定等を設定することが可能である。またスキャン後の画像を印刷する場合は、片面／両面印刷の別、カラー／モノクロの別、倍率、部数やシートサイズなどの設定も合わせて行うことが可能となる。
【００２３】
スキャン設定画面が表示された段階で、このスキャン設定画面に重ならない位置で、ユーザはスキャンしたい画像面がタッチパネルディスプレイ５０と接触するように原稿シートを置き、この原稿シートの外側を囲うように、指をタッチパネルディスプレイ５０に接触させながらジェスチャーを行う（図４、図５参照）。この指のタッチパネルディスプレイ５０への接触動作に合わせて、原稿シートの周りに線が出現するとともに、線が囲い込まれた場合、その枠の内部にあるシートに形成されている画像が装置内のＨＤＤ４０に記憶される。
【００２４】
取りこまれたスキャン画像は、図５に示すようにタッチパネルディスプレイ５０上のシート設置位置付近に表示され、シートに一部分重なるように表示される。尚、本実施形態では、スキャン画像を表示させる際、手書き枠の内部を指でタッチし、枠外にスライドさせる（払い出す）ジェスチャーによって、そのスライドさせた方向に画像が表示される。図５の例は、右方向に指先をスライドさせた場合の例であるが、上方向、左方向、下方向へのスライドも同様に、そのスライド方向にスキャン画像が表示される。
【００２５】
ここで、スキャン画像表示の際のアニメーションについて、図６を参照しつつ説明する。図６（Ａ）は、アルファベットのＲ文字がシート上に記されているスキャン対象のシートである。正規のスキャン画像も図６（Ａ）の状態となる。
【００２６】
スキャン画像を表示させる際、図６（Ｂ）に示すように、シートから画像がめくれて取りだされるようなアニメーション効果を付加してもよい。また図６（Ｃ）のように、シートから画像がスライドするようなアニメーション効果を付加してもよい。図６（Ｂ）、図６（Ｃ）の両図とも、シートの右方向にスキャン画像が表示されるときのアニメーション動画であり、このようなアニメーション効果は上下左右のどの方向でも適用できる。図６（Ｂ）のアニメーション効果と図６（Ｃ）のアニメーション効果のいずれにするかは、ユーザが任意に決めることができる。
【００２７】
ここで、図６（Ｃ）のアニメーション効果を付加する場合について言及する。本実施形態において、ユーザはスキャン対象面を下向き（裏返し）にしてシートを配置する。よって、ユーザがこのシートを透かして視ると、スキャン対象の像は左右逆向きの鏡像反転状態となっている。ここで、図６（Ｂ）のアニメーション効果を付加する場合、正規のスキャン画像（図６（Ａ）の画像）をそのまま表示すると、不自然な表示となる。
【００２８】
よって本実施形態では、図６（Ｂ）のアニメーション効果を付加する場合、図６（Ｂ）の左側図に示すように一旦鏡像反転してスキャン画像を表示した方が自然となる。これは、印鑑などのスタンプが左右逆向きに鏡像反転状態で製造されることで、印を押した後の像が正規の向きとなるのに類似している。
【００２９】
図６（Ｂ）のようにめくれて取りだされるようなアニメーション効果についても、上下方向に表示する場合は、一旦は正規のスキャン画像（図６（Ａ）の画像）を１８０°回転させた状態で表示した方が自然となる。
【００３０】
以上のことから、タッチパネルディスプレイ５０は、スキャン画像の表示直後は、必要に応じて鏡像反転、回転させたものを表示し、アニメーション処理が完了してから１秒程度の一定期間が経過した後に、正規のスキャン画像に切り替え、表示する。この制御はプロセッサ１０により行われる。尚、正規向きの画像への切り替え時も、相応のアニメーション効果を付加してもよい。
【００３１】
上記のような手法により、従来手間のかかった操作入力が無くなり、スピーディに、簡単なジェスチャー操作でスキャンすることができる。
【００３２】
図７は、情報処理装置１００の動作例を示すフローチャートである。まず、タッチパネルディスプレイ５０が所定のジェスチャー操作を検知することで、プロセッサ１０は、スキャン実行指示を受け付ける（ＡＣＴ００１）。プロセッサ１０は、タッチパネルディスプレイ５０にスキャン設定画面を表示させ、この画面を介してユーザから設定値を取得する。尚、デフォルトの値をそのまま設定値とする場合、このスキャン設定画面の表示や設定値の受け付けは行われなくてもよい。
【００３３】
設定後、ユーザはスキャン対象となる面がタッチパネルディスプレイ５０の表示面と接触するようにシートを配置する（ＡＣＴ００２）。次にプロセッサ１０は、タッチパネルディスプレイ５０が何らかの接触（本例では指先の接触）を検知したかを判定する（ＡＣＴ００３）。検知された場合（ＡＣＴ００３）、プロセッサ１０は、その接触位置の移動先（軌道）の座標（Ｘ，Ｙの値）を取得するとともに、その軌道が描画されるようにタッチパネルディスプレイ５０を制御する（ＡＣＴ００４）。ＡＣＴ００４は、接触位置の移動先が接触開始位置に到達するまでの間実行される（ＡＣＴ００５、Ｎｏのループ）。接触位置の移動先が接触開始位置に到達した場合、すなわち手書きの枠がタッチパネルディスプレイ５０に形成された場合（ＡＣＴ００５、Ｙｅｓ）、プロセッサ１０は、その枠を矩形領域に変換して４隅の頂点座標を取得する（ＡＣＴ００６）。プロセッサ１０は、例えば指先の移動中で得られる座標値のうち、最大Ｘ値、最小Ｘ値、最大Ｙ値、最小Ｙ値を抽出し、これらの値を組み合わせた座標を、４隅の頂点座標とする。
【００３４】
タッチパネルディスプレイ５０は、プロセッサ１０からの指示に従い、得られた各頂点座標の領域をスキャンして読み取る（ＡＣＴ００７）。タッチパネルディスプレイ５０は、この領域について光量が可能な限り多くなるように発光し、領域内の撮像素子で撮像（受光）する。これにより、当該領域についてのスキャン画像が作成され、ＤＲＡＭ２０もしくはＨＤＤ４０に記憶される。
【００３５】
次にプロセッサ１０は、得られたスキャン画像がシート領域のみの画像となるように、エッジ検出処理などの画像処理を施すなどして切り出し処理を行う（ＡＣＴ００８）。また、タッチパネルディスプレイ５０上に斜めにシートが配置されていることも十分考えられるため、切り出し処理後、この斜めについても正規方向になるように（シートの頂点が画像上のＸ軸、Ｙ軸に沿うように）調整される。このようにして得られた画像が正規のスキャン画像となる。
【００３６】
プロセッサ１０は、手書き枠内で何らかの接触を検知したかを判定する（ＡＣＴ００９）。ここでは、手書き枠内ではなくＡＣＴ００６で導出された矩形領域内での接触検知としてもよい。接触を検知した場合（ＡＣＴ００９、Ｙｅｓ）、プロセッサ１０は、この接触位置が枠外（もしくは矩形領域外）に移動し、その後接触が解除されたかを判定する（ＡＣＴ０１０）。すなわちここでは指先が枠内から枠外に移動し、タッチパネルディスプレイ５０から離れたかが判定される。指先が枠外に移動し離れた場合（ＡＣＴ０１０、Ｙｅｓ）、プロセッサ１０は、上記説明したアニメーション効果の手法に応じて、または指先の移動した方向に応じて、鏡像反転や回転後の画像を作成する（ＡＣＴ０１１）。
【００３７】
タッチパネルディスプレイ５０は、プロセッサ１０からの指示に従い、図６で説明したアニメーション効果を付加してスキャン画像を表示する（ＡＣＴ０１２）。ここでは一旦鏡像反転、回転後の画像が表示される。その後タッチパネルディスプレイ５０は、正規の向きのスキャン画像を表示する（ＡＣＴ０１３）。鏡像反転、回転が不要な場合、ＡＣＴ０１２での鏡像反転、回転表示は省略される。
【００３８】
スキャン画像は、必要に応じてプリンタユニット８０により印刷される（ＡＣＴ０１４）。
【００３９】
尚、アニメーション効果の手法（図６（Ｂ）、図６（Ｃ）参照）やシートに対する画像表示位置（方向）が事前に決められている場合、ＡＣＴ００９、ＡＣＴ０１０は不要となり、決められたアニメーション効果、位置にスキャン画像が表示される。また、スキャン画像の表示領域が十分に確保されている方向をプロセッサ１０が自動で検出し、その方向にスキャン画像を表示する実装でもよい。この場合、プロセッサ１０は、形成された手書き枠の位置、現在表示されている各オブジェクトの位置、スキャン画像のサイズに基づき、スキャン画像の表示方向を決定する。また、タッチパネルディスプレイ５０の端側にシートが配置されている場合など、ユーザがスライスした方向ではスキャン画像の表示領域が確保されない場合もある。このときは、プロセッサ１０により上記のように自動で表示方向が決定される。
【００４０】
ここまでは、スキャン機能を有するタッチパネルディスプレイを採用した場合の態様を説明したが、スキャン機能を別ユニットとする場合について、図８を用いて説明する。
【００４１】
図８（Ａ）は、側面方向から視認した場合の卓上型情報処理装置１０１の構成例を示す断面模式図である。卓上型情報処理装置１０１は、タッチパネルディスプレイ５１、撮像ユニット５２、発光ユニット５３を有する。タッチパネルディスプレイ５１は、透明液晶パネルとタッチパネル用のシートとが積層配置されたものである。透明液晶パネルは、その背景（本例では装置内部）を透かして視認できるものであり、既存技術がそのまま採用されてもよい。
【００４２】
また卓上型情報処理装置１０１内部にある撮像ユニット５２は、タッチパネルディスプレイ５１に対向した面に撮像素子が備えられており、タッチパネルディスプレイ５１の透過面を介してその上方を撮像する。またタッチパネルディスプレイ５１の全面を撮像範囲とするため、高角レンズが撮像素子の上方に備えられている。発光ユニット５３には、発光素子が上面に備えられており、タッチパネルディスプレイ５１の方向に発光する。これら以外にも、卓上型情報処理装置１０１はプロセッサ、ＤＲＡＭなど図２に示すユニットが備えられている。
【００４３】
図８（Ｂ）に示す各図は、タッチパネルディスプレイ５１の上方平面図である。上述の例の通り、シートがタッチパネルディスプレイ５１に配置され、指先により手書き枠が形成されると、タッチパネルディスプレイ５１は、その枠内が少なくとも透過状態（描画、表示が全く無い状態）となるように制御される。これにより、発光ユニット５３からの光はシートに照射され、この反射光が撮像ユニット５２に入光する。これにより、シート面の像が画像データとなる。
【００４４】
また、撮像ユニット５２をラインスキャナとし、この撮像ユニット５２や発光ユニット５３をキャリッジに搭載した実装でもよい。スキャンの際には、キャリッジが例えば図８（Ｂ）の紙面左方向から右方向に移動し、原稿シートをラインスキャンする。
【００４５】
ユーザによるスキャン対象の範囲を指定する方法として、上記例では手書きで枠を形成するものとして説明したが、シートの４隅のみをタッチして選択させ、この４点を頂点とした矩形内のデータを取り込むようにしてもよい。尚、４点を頂点とした矩形（四角形）のみならず、３点以上指先でタッチされた場合は、この接触検知された点を頂点とした多角形でもよい。
【００４６】
また範囲指定の方法として、両手ともに人差し指と親指を開きＬ字型にし、Ｌ字型の屈曲部（親指の付け根部）をそれぞれシートの対角頂点に合わせて、親指、人差し指の先をタッチパネルディスプレイ５０に接触させるジェスチャーなども考えられる。
【００４７】
また、複数のシートを並べて一度にスキャンしたい場合は、複数シート全てを囲む枠を手書きで作成し、この枠内をスキャンする実装でもよい。それぞれのシート領域の検出は、上記のエッジ検出処理が流用可能である。このように処理されたデータは、マルチデータ（複数ページで１ファイル）として保存されてもよい。
【００４８】
本実施形態は、スキャン対象となるもの（物体）がシートであるとして説明したが、これに限定されない。その他の例として、例えば人の手のひらをタッチパネルディスプレイ上に配置してスキャンする態様や、衣服をタッチパネルディスプレイ上に配置してスキャンする態様など、様々なものをスキャン対象とすることができる。また本実施形態では、スキャン対象のシートやスキャン対象の領域は、四角形であるものとして説明したが、これに限定されず、様々な形状が適用される。
【００４９】
上記動作をコンピュータに実行させるための画像取得プログラムやスキャンプログラムが提供されてもよい。本実施形態を例にして説明すると、ＨＤＤ４０にこのプログラムが事前に記憶されており、プロセッサ１０がこのプログラムを読み出してＤＲＡＭ２０に展開し、演算実行する。
【００５０】
本実施形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と協働してその機能を実現させるものであってもよい。
【００５１】
制御部は、実施形態のプロセッサ１０、ＤＲＡＭ２０、通信バス９０を少なくとも有する構成に相当する。またプロセッサ１０、ＤＲＡＭ２０、通信バス９０などの各ハードウェアと協働して動作するプログラムは、ＨＤＤ４０（ＲＯＭ３０でもよい）に事前に記憶されており、プロセッサ１０によりＤＲＡＭ２０にロードされ、演算実行される。また記憶部は、ＤＲＡＭ２０、ＨＤＤ４０に相当する。表示部、入力部は、タッチパネルディスプレイ５０、５１に相当し、撮像部は、タッチパネルディスプレイ５０に内蔵された撮像素子、もしくは撮像ユニット５２に相当する。
【００５２】
以上に詳説したように、本実施形態の態様により、ユーザの自然な操作によりスキャンを行い、画像データを得ることができる。
【００５３】
本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【００５４】
１０  プロセッサ、２０  ＤＲＡＭ、３０  ＲＯＭ、４０  ＨＤＤ、５０  タッチパネルディスプレイ、５１  タッチパネルディスプレイ、５２  撮像ユニット、５３  発光ユニット、６０  ネットワークＩ／Ｆ、７０  センサユニット、８０  プリンタユニット、９０  通信バス、卓上型情報処理装置１００（情報処理装置）。
【図１】
0005666545.tif 000002
【図２】
0005666545.tif 000003
【図３】
0005666545.tif 000004
【図４】
0005666545.tif 000005
【図５】
0005666545.tif 000006
【図６】
0005666545.tif 000007
【図７】
0005666545.tif 000008
【図８】
0005666545.tif 000009